(57)【特許請求の範囲】
【請求項１】
各クライアントそれぞれに対応する第１の無線遠隔ユニットＲＲＵおよび第２のＲＲＵのアップリンク周波数シフトを取得するステップであって、第１のＲＲＵは最高電力で動作しているクライアントのＲＲＵであり、前記第２のＲＲＵは２番目に高い電力で動作しているクライアントのＲＲＵである前記取得するステップと、
前記各クライアントそれぞれに対応する第１のＲＲＵおよび第２のＲＲＵのアップリンク周波数シフトに基づいて、各ＲＲＵに対応するアップリンク周波数シフトの集合をそれぞれ決定するステップであって、１つのＲＲＵに対応する周波数シフトの集合には、前記１つのＲＲＵの利用を選択したクライアントそれぞれに対応する全ての第１のＲＲＵまたは第２のＲＲＵのアップリンク周波数シフトが含まれる前記決定するステップと、
ダウンリンク事前補正周期が到着したと決定すると、各ＲＲＵについてそれぞれ以下の動作を実行し、
１つのＲＲＵ的周波数シフトの集合に含まれる前記１つのＲＲＵの利用を選択したクライアントそれぞれに対応する全ての第１のＲＲＵまたは第２のＲＲＵのアップリンク周波数シフトに基づいて、１つのＲＲＵの平均アップリンク周波数シフトを計算し、直前の事前補正周期における１つのＲＲＵのダウンリンク事前補正値を取得し、
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定するステップとを備え、
前記各クライアントそれぞれに対応する第１のＲＲＵおよび第２のＲＲＵのアップリンク周波数シフトに基づいて、任意のＲＲＵに対応する周波数シフトの集合を決定し、
各クライアントそれぞれに対応する第１のＲＲＵと第２のＲＲＵとの間の電力差の絶対値を計算し、
各クライアントについてそれぞれ以下の動作を実行し、
前記任意のＲＲＵが１つのクライアントそれぞれに対応する第１のＲＲＵであると決定するとき、前記１つのクライアントそれぞれに対応する第１のＲＲＵのアップリンク周波数シフトを前記任意のＲＲＵに対応するＲＲＵ周波数シフトの集合に割り当て、
前記任意のＲＲＵをクライアントそれぞれに対応する第２のＲＲＵとして決定し、かつ、前記１つのクライアントそれぞれに対応する第１のＲＲＵと第２のＲＲＵとの間の電力差の絶対値が予め設定された閾値を下回る場合、前記１つのクライアントそれぞれに対応する第２のＲＲＵのアップリンク周波数シフトを前記任意のＲＲＵに対応するＲＲＵ周波数シフトの集合に割り当てることを特徴とするダウンリンク信号の事前補正方法。
【請求項２】
任意の１つのクライアントそれぞれに対応するすべての第１のＲＲＵおよび第２のＲＲＵのアップリンク周波数シフトを取得する場合、
各ＲＲＵにおける受信した前記任意の１つのクライアントのサウンディング参考信号（ＳＲＳ）電力に基づいて、前記任意の１つのクライアントそれぞれに対応するＳＲＳ信号の最大電力を有する第１のＲＲＵおよびＳＲＳ信号の２番目に高い電力を有する第２のＲＲＵそれぞれを決定し、
前記任意の１つのクライアントそれぞれに対応する第１のＲＲＵのアップリンク周波数シフトおよび第２のＲＲＵのアップリンク周波数シフトを計算することを特徴とする請求項１に記載のダウンリンク信号の事前補正方法。
【請求項３】
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する場合、
前記１つのＲＲＵの平均アップリンク周波数シフトを、直前の事前補正周期における前記１つのＲＲＵのダウンリンク事前補正値の逆数と比較し、比較結果に応じてステッピング方式で、現在ダウンリンク事前補正周期における前記１つのＲＲＵのダウンリンク事前補正値を調整することを特徴とする請求項１または請求項２に記載のダウンリンク信号の事前補正方法。
【請求項４】
比較結果に応じてステッピング方式で、現在ダウンリンク事前補正周期における前記１つのＲＲＵのダウンリンク事前補正値を調整する場合、
１つのＲＲＵの平均アップリンク周波数シフト値が直前の事前補正周期における前記１つのＲＲＵのダウンリンク事前補正値の逆数より大きい場合、現在ダウンリンク事前補正周期における前記１つのＲＲＵのダウンリンク事前補正値は、直前の事前補正周期における前記１つのＲＲＵのダウンリンク事前補正値から１つの予め設定されたステッピング周波数値を引いた値とし、
前記１つのＲＲＵの平均アップリンク周波数シフト値が直前の事前補正周期における前記１つのＲＲＵのダウンリンク事前補正値の逆数を下回る場合、現在ダウンリンク事前補正周期における前記１つのＲＲＵのダウンリンク事前補正値は、直前の事前補正周期における前記１つのＲＲＵのダウンリンク事前補正値に予め設定されたステッピング周波数値を加算した値であり、
前記１つのＲＲＵの平均アップリンク周波数シフト値が直前の事前補正周期における前記１つのＲＲＵのダウンリンク事前補正値の逆数に等しい場合、現在ダウンリンク事前補正周期における前記１つのＲＲＵのダウンリンク事前補正値は、直前の事前補正周期における前記１つのＲＲＵのダウンリンク事前補正値であることを特徴とする請求項１に記載のダウンリンク信号の事前補正方法。
【請求項５】
各クライアントそれぞれに対応する第１の無線遠隔ユニットＲＲＵおよび第２のＲＲＵのアップリンク周波数シフトを取得する取得ユニットであって、前記第１のＲＲＵは最高電力で動作しているクライアントのＲＲＵであり、前記第２のＲＲＵは２番目に高い電力で動作しているクライアントのＲＲＵである前記取得ユニットと、
前記各クライアントそれぞれに対応する第１のＲＲＵおよび第２のＲＲＵのアップリンク周波数シフトに基づいて、各ＲＲＵに対応するアップリンク周波数シフトの集合をそれぞれ決定する決定ユニットであって、１つのＲＲＵに対応する周波数シフトの集合には、前記１つのＲＲＵの利用を選択したクライアントそれぞれに対応する全ての第１のＲＲＵまたは第２のＲＲＵのアップリンク周波数シフトが含まれる前記決定ユニットと、
ダウンリンク事前補正周期が到着したと決定すると、各ＲＲＵについてそれぞれ以下の動作を実行し、
１つのＲＲＵ的周波数シフトの集合に含まれる前記１つのＲＲＵの利用を選択したクライアントそれぞれに対応する全ての第１のＲＲＵまたは第２のＲＲＵのアップリンク周波数シフトに基づいて、１つのＲＲＵの平均アップリンク周波数シフトを計算し、直前の事前補正周期における１つのＲＲＵのダウンリンク事前補正値を取得し、
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する実行ユニットと
を備え、
前記各クライアントそれぞれに対応する第１のＲＲＵおよび第２のＲＲＵのアップリンク周波数シフトに基づいて、任意のＲＲＵに対応する周波数シフトの集合を決定するとき、前記決定ユニットは、
各クライアントそれぞれに対応する第１のＲＲＵと第２のＲＲＵとの間の電力差の絶対値を計算し、
各クライアントについてそれぞれ以下の動作を実行し、
前記任意のＲＲＵが１つのクライアントそれぞれに対応する第１のＲＲＵであると決定するとき、前記１つのクライアントそれぞれに対応する第１のＲＲＵのアップリンク周波数シフトを前記任意のＲＲＵに対応するＲＲＵ周波数シフトの集合に割り当て、
前記任意のＲＲＵをクライアントそれぞれに対応する第２のＲＲＵとして決定し、かつ、前記１つのクライアントそれぞれに対応する第１のＲＲＵと第２のＲＲＵとの間の電力差の絶対値が予め設定された閾値を下回る場合、前記１つのクライアントそれぞれに対応する第２のＲＲＵのアップリンク周波数シフトを前記任意のＲＲＵに対応するＲＲＵ周波数シフトの集合に割り当てることを特徴とするダウンリンク信号の事前補正装置。
【請求項６】
任意の１つのクライアントそれぞれに対応する第１のＲＲＵおよび第２のＲＲＵのアップリンク周波数シフト値を取得するとき、前記取得ユニットは、
各ＲＲＵにおける受信した前記任意の１つのクライアントのサウンディング参考信号（ＳＲＳ）電力に基づいて、前記任意の１つのクライアントそれぞれに対応するＳＲＳ信号の最大電力を有する第１のＲＲＵおよびＳＲＳ信号の２番目に高い電力を有する第２のＲＲＵそれぞれを決定し、
前記任意の１つのクライアントそれぞれに対応する第１のＲＲＵのアップリンク周波数シフトおよび第２のＲＲＵのアップリンク周波数シフトを計算することを特徴とする請求項５に記載のダウンリンク信号の事前補正装置。
【請求項７】
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する場合、前記実行ユニットは、
前記１つのＲＲＵの平均アップリンク周波数シフトを、直前の事前補正周期における前記１つのＲＲＵのダウンリンク事前補正値の逆数と比較し、比較結果に応じてステッピング方式で、現在ダウンリンク事前補正周期における前記１つのＲＲＵのダウンリンク事前補正値を調整することを特徴とする請求項５または請求項６に記載のダウンリンク信号の事前補正装置。
【請求項８】
比較結果に応じてステッピング方式で、現在ダウンリンク事前補正周期における前記１つのＲＲＵのダウンリンク事前補正値を調整する場合、前記実行ユニットは、
１つのＲＲＵの平均アップリンク周波数シフト値が直前の事前補正周期における前記１つのＲＲＵのダウンリンク事前補正値の逆数より大きい場合、現在ダウンリンク事前補正周期における前記１つのＲＲＵのダウンリンク事前補正値は、直前の事前補正周期における前記１つのＲＲＵのダウンリンク事前補正値から１つの予め設定されたステッピング周波数値を引いた値とし、
前記１つのＲＲＵの平均アップリンク周波数シフト値が直前の事前補正周期における前記１つのＲＲＵのダウンリンク事前補正値の逆数を下回る場合、現在ダウンリンク事前補正周期における前記１つのＲＲＵのダウンリンク事前補正値は、直前の事前補正周期における前記１つのＲＲＵのダウンリンク事前補正値に予め設定されたステッピング周波数値を加算した値であり、
前記１つのＲＲＵの平均アップリンク周波数シフト値が直前の事前補正周期における前記１つのＲＲＵのダウンリンク事前補正値の逆数に等しい場合、現在ダウンリンク事前補正周期における前記１つのＲＲＵのダウンリンク事前補正値は、直前の事前補正周期における前記１つのＲＲＵのダウンリンク事前補正値であることを特徴とする請求項７に記載のダウンリンク信号の事前補正装置。
【発明の詳細な説明】
【技術分野】
【０００１】
〔関連出願の相互参照〕
本出願は、２０１７年２月７日に中国特許局に提出し、出願番号が２０１７１００６７７１１.４であり、発明名称が「ダウンリンク信号の事前補正方法および装置」との中国特許出願を基礎とする優先権を主張し、その開示の総てをここに取り込む。
【０００２】
本発明は無線通信技術分野に関し、特にダウンリンク信号の事前補正方法および装置に関する。
【背景技術】
【０００３】
通信システムにおいて送信機と受信機との間に相対的な動きがあるとき、ドップラー効果のため、受信機によって受信された信号の周波数は、送信機によって送信された信号の周波数に対してドップラーシフトと呼ぶシフトが生じる。その計算式として
【数１】
0006765544.tif 000002
であり、ここで、ｃは光速、fはキャリア周波数、vは受信機と送信機との間の相対移動速度、θは受信機の移動方向と信号の伝搬方向との間の角度である。
【０００４】
ロングタームエボリューション（ｌｏｎｇ  Ｔｅｒｍ  Ｅｖｏｌｕｔｉｏｎ，ＬＴＥ）システムでは、ＵＥが高速で移動しているシナリオでは、高いＬＴＥキャリア周波数によるドップラーシフトの絶対値が大きい。ＬＴＥ  ＵＥを含む列車が高速で移動し、キャリア周波数が２．６ＧＨｚであり、ＵＥが３００ｋｍ/ｈで移動するシナリオでは、ドップラーシフトが最大７２０Ｈｚであり、過大のドップラーシフトの原因で受信機の性能が急激に低下する。すなわち、ネットワークのスループットが低下し、ＵＥでさえもネットワークへのアクセスが妨げられる。ＵＥが高速で移動しているシナリオでは、頻繁なハンドオーバによって性能が急激に低下することを回避するために、セルは通常マージされる。即ち、高速道路/鉄道に沿って分散された複数の無線遠隔ユニット（Ｒａｄｉｏ  Ｒｅｍｏｔｅ  ｕｎｉｔ，ＲＲＵ）を連結して論理セルとし、それによって単一セルのカバレッジ半径を拡張する。この場合、ＵＥが１つのＲＲＵのカバレッジエリアから別のＲＲＵのカバレッジエリアに移動するとき、２つのＲＲＵの受信信号は反対方向に伝搬するので、反対のドップラーシフトがあり、したがってＵＥのダウンリンク信号を受信する性能が低下される。特に信号が重なってカバレッジする場所でＵＥによって受信された２つのＲＲＵの信号の振幅は非常に近似しているため、ＵＥは自動周波数制御（Ａｕｔｏｍａｔｉｃ  Ｆｒｅｑｕｅｎｃｙ  Ｃｏｎｔｒｏｌ，ＡＦＣ）によって局部発振器の周波数を受信信号の周波数と一致させることができない。また、２つのＲＲＵの信号を互いに区別することも、それらをそれぞれ事前補正することによっても、ダウンリンク信号を受信する性能が著しく低下される。
【０００５】
従来技術では、ｅＮＢが何らかの特別な送信モードで専用参考信号（Ｄｅｄｉｃａｔｅｄ  ｒｅｆｅｒｅｎｃｅ  Ｓｉｇｎａｌ，ＤＲＳ）をＵＥに送信することがあるので、ｅＮＢは無線リソース制御（Ｒａｄｉｏ  Ｒｅｓｏｕｒｃｅ  Ｃｏｎｔｒｏｌ，ＲＲＣ）対話シグナリング（例えば、ＲＲＣ再設定メッセージ）を介してＵＥに指示することができる。これらの特定の送信モードで、ｅＮＢ側は、ＵＥに送信されるべきＤＲＳおよび物理ダウンリンク共有チャネル（Ｐｈｙｓｉｃａｌ  Ｄｏｗｎｌｉｎｋ  Ｓｈａｒｅｄ  Ｃｈａｎｎｅｌ，ＰＤＳＣＨ）のみを事前補正するが、セル固有参照信号（Ｃｅｌｌ−ｓｐｅｃｉｆｉｃ  ｒｅｆｅｒｅｎｃｅ  Ｓｉｇｎａｌ，ＣＲＳ）を事前補正することはない。ＵＥによって受信されたＤＲＳから対応するダウンリンク信号周波数シフトを取得し、その後、事前補正されたダウンリンク信号を受信すると、取得されたダウンリンク信号周波数シフトに従ってダウンリンク信号を事前補正する。
【０００６】
しかしながら、特定のモードでＤＲＳを送信するための既存の解決策は、プロトコル層から始まる高速シナリオにおけるダウンリンク周波数シフトを事前推定して補償するための解決策であり、この解決策では、ｅＮＢがＲＲＣシグナリングを介してＵＥのために特別な送信モードを設定する必要があるため、シグナリングの負担が大きくなり、ダウンリンク事前補正およびダウンリンク補正がネットワーク側およびＵＥ側によって協調して実行されるので、ｅＮＢおよびＵＥの両方がこの解決策をサポートする必要がある。さらに、特定のモードでＤＲＳを送信する解決策では、ＵＥのトラフィックがまばらであるとき、ＤＲＳ信号は、ＵＥとのダウンリンクスケジューリングのために定期的にＵＥに送信されなければならず、したがって不必要なスケジューリングが生じる。
【０００７】
ＤＲＳ信号は、ＵＥとのダウンリンクスケジューリングのために定期的にＵＥに送信されなければならず、したがって不必要なスケジューリングが生じる。
【発明の概要】
【発明が解決しようとする課題】
【０００８】
本発明の実施形態は、ダウンリンク信号の複雑な事前補正、および追加のシグナリングの負担という従来技術における問題に対処するために、ダウンリンク信号を事前補正するための方法および装置を提供する。
【課題を解決するための手段】
【０００９】
本発明に係る実施例による技術案はいかとおりである。
【００１０】
ダウンリンク信号の事前補正方法では、
各クライアントそれぞれに対応する第１の無線遠隔ユニットＲＲＵおよび第２のＲＲＵのアップリンク周波数シフトを取得するステップであって、前記第１のＲＲＵは最高電力で動作しているクライアントのＲＲＵであり、前記第２のＲＲＵは２番目に高い電力で動作しているクライアントのＲＲＵである前記取得するステップと、
前記各クライアントそれぞれに対応する第１のＲＲＵおよび第２のＲＲＵのアップリンク周波数シフトに基づいて、各ＲＲＵに対応するアップリンク周波数シフトの集合をそれぞれ決定するステップであって、１つのＲＲＵに対応する周波数シフトの集合には、前記１つのＲＲＵの利用を選択したクライアントそれぞれに対応する全ての第１のＲＲＵまたは第２のＲＲＵのアップリンク周波数シフトが含まれる前記決定するステップと、
ダウンリンク事前補正周期が到着したと決定すると、各ＲＲＵについてそれぞれ以下の動作を実行し、
１つのＲＲＵ的周波数シフトの集合に含まれる前記１つのＲＲＵの利用を選択したクライアントそれぞれに対応する全ての第１のＲＲＵまたは第２のＲＲＵのアップリンク周波数シフトに基づいて、前記１つのＲＲＵの平均アップリンク周波数シフトを計算し、直前の事前補正周期における前記１つのＲＲＵのダウンリンク事前補正値を取得し、
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定するステップとを備える。
【００１１】
オプションとして、任意の１つのクライアントそれぞれに対応する第１のＲＲＵおよび第２のＲＲＵのアップリンク周波数シフト値を取得する場合、
各ＲＲＵにおける受信した前記任意の１つのクライアントのサウンディング参考信号（ＳＲＳ）電力に基づいて、前記任意の１つのクライアントそれぞれに対応するＳＲＳ信号の最大電力を有する第１のＲＲＵおよびＳＲＳ信号の２番目に高い電力を有する第２のＲＲＵそれぞれを決定し、
前記任意の１つのクライアントそれぞれに対応する第１のＲＲＵのアップリンク周波数シフトおよび第２のＲＲＵのアップリンク周波数シフトを計算する。
【００１２】
オプションとして、前記各クライアントそれぞれに対応する第１のＲＲＵおよび第２のＲＲＵのアップリンク周波数シフトに基づいて、任意のＲＲＵに対応する周波数シフトの集合を決定する場合、
各クライアントそれぞれに対応する第１のＲＲＵと第２のＲＲＵとの間の電力差の絶対値を計算し、
各クライアントについてそれぞれ以下の動作を実行し、
前記任意のＲＲＵが１つのクライアントそれぞれに対応する第１のＲＲＵであると決定するとき、前記１つのクライアントそれぞれに対応する第１のＲＲＵのアップリンク周波数シフトを前記任意のＲＲＵに対応するＲＲＵ周波数シフトの集合に割り当て、
前記任意のＲＲＵをクライアントそれぞれに対応する第２のＲＲＵとして決定し、かつ、前記１つのクライアントそれぞれに対応する第１のＲＲＵと第２のＲＲＵとの間の電力差の絶対値が予め設定された閾値を下回る場合、前記１つのクライアントそれぞれに対応する第２のＲＲＵのアップリンク周波数シフトを前記任意のＲＲＵに対応するＲＲＵ周波数シフトの集合に割り当てる。
【００１３】
オプションとして、前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する場合、
前記１つのＲＲＵの平均アップリンク周波数シフトを、直前の事前補正周期における前記１つのＲＲＵのダウンリンク事前補正値の逆数と比較し、比較結果に応じてステッピング方式で、現在ダウンリンク事前補正周期における前記１つのＲＲＵのダウンリンク事前補正値を調整する。
【００１４】
オプションとして、比較結果に応じてステッピング方式で、現在ダウンリンク事前補正周期における前記１つのＲＲＵのダウンリンク事前補正値を調整する場合、
前記１つのＲＲＵの平均アップリンク周波数シフト値が直前の事前補正周期における前記１つのＲＲＵのダウンリンク事前補正値の逆数より大きい場合、現在ダウンリンク事前補正周期における前記１つのＲＲＵのダウンリンク事前補正値は、直前の事前補正周期における前記１つのＲＲＵのダウンリンク事前補正値から１つの予め設定されたステッピング周波数値を引いた値とし、
前記１つのＲＲＵの平均アップリンク周波数シフト値が直前の事前補正周期における前記１つのＲＲＵのダウンリンク事前補正値の逆数を下回る場合、現在ダウンリンク事前補正周期における前記１つのＲＲＵのダウンリンク事前補正値は、直前の事前補正周期における前記１つのＲＲＵのダウンリンク事前補正値に予め設定されたステッピング周波数値を加算した値であり、
前記１つのＲＲＵの平均アップリンク周波数シフト値が直前の事前補正周期における前記１つのＲＲＵのダウンリンク事前補正値の逆数に等しい場合、現在ダウンリンク事前補正周期における前記１つのＲＲＵのダウンリンク事前補正値は、直前の事前補正周期における前記１つのＲＲＵのダウンリンク事前補正値である。
【００１５】
ダウンリンク信号の事前補正装置は、
各クライアントそれぞれに対応する第１の無線遠隔ユニットＲＲＵおよび第２のＲＲＵのアップリンク周波数シフトを取得する取得ユニットであって、前記第１のＲＲＵは最高電力で動作しているクライアントのＲＲＵであり、前記第２のＲＲＵは２番目に高い電力で動作しているクライアントのＲＲＵである前記取得ユニットと、
前記各クライアントそれぞれに対応する第１のＲＲＵおよび第２のＲＲＵのアップリンク周波数シフトに基づいて、各ＲＲＵに対応するアップリンク周波数シフトの集合をそれぞれ決定する決定ユニットであって、１つのＲＲＵに対応する周波数シフトの集合には、前記１つのＲＲＵの利用を選択したクライアントそれぞれに対応する全ての第１のＲＲＵまたは第２のＲＲＵのアップリンク周波数シフトが含まれる前記決定ユニットと、
ダウンリンク事前補正周期が到着したと決定すると、各ＲＲＵについてそれぞれ以下の動作を実行する実行ユニットとを備え、
１つのＲＲＵ的周波数シフトの集合に含まれる前記１つのＲＲＵの利用を選択したクライアントそれぞれに対応する全ての第１のＲＲＵまたは第２のＲＲＵのアップリンク周波数シフトに基づいて、前記１つのＲＲＵの平均アップリンク周波数シフトを計算し、直前の事前補正周期における前記１つのＲＲＵのダウンリンク事前補正値を取得し、
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する。
【００１６】
オプションとして、任意の１つのクライアントそれぞれに対応する第１のＲＲＵおよび第２のＲＲＵのアップリンク周波数シフト値を取得するとき、前記取得ユニットは、
各ＲＲＵにおける受信した前記任意の１つのクライアントのサウンディング参考信号（ＳＲＳ）電力に基づいて、前記任意の１つのクライアントそれぞれに対応するＳＲＳ信号の最大電力を有する第１のＲＲＵおよびＳＲＳ信号の２番目に高い電力を有する第２のＲＲＵそれぞれを決定し、
前記任意の１つのクライアントそれぞれに対応する第１のＲＲＵのアップリンク周波数シフトおよび第２のＲＲＵのアップリンク周波数シフトを計算する。
【００１７】
オプションとして、前記各クライアントそれぞれに対応する第１のＲＲＵおよび第２のＲＲＵのアップリンク周波数シフトに基づいて、任意のＲＲＵに対応する周波数シフトの集合を決定するとき、前記決定ユニットは、
各クライアントそれぞれに対応する第１のＲＲＵと第２のＲＲＵとの間の電力差の絶対値を計算し、
各クライアントについてそれぞれ以下の動作を実行し、
前記任意のＲＲＵが１つのクライアントそれぞれに対応する第１のＲＲＵであると決定するとき、前記１つのクライアントそれぞれに対応する第１のＲＲＵのアップリンク周波数シフトを前記任意のＲＲＵに対応するＲＲＵ周波数シフトの集合に割り当て、
前記任意のＲＲＵをクライアントそれぞれに対応する第２のＲＲＵとして決定し、かつ、前記１つのクライアントそれぞれに対応する第１のＲＲＵと第２のＲＲＵとの間の電力差の絶対値が予め設定された閾値を下回る場合、前記１つのクライアントそれぞれに対応する第２のＲＲＵのアップリンク周波数シフトを前記任意のＲＲＵに対応するＲＲＵ周波数シフトの集合に割り当てる。
【００１８】
オプションとして、前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する場合、前記実行ユニットは、
前記１つのＲＲＵの平均アップリンク周波数シフトを、直前の事前補正周期における前記１つのＲＲＵのダウンリンク事前補正値の逆数と比較し、比較結果に応じてステッピング方式で、現在ダウンリンク事前補正周期における前記１つのＲＲＵのダウンリンク事前補正値を調整する。
【００１９】
オプションとして、比較結果に応じてステッピング方式で、現在ダウンリンク事前補正周期における前記１つのＲＲＵのダウンリンク事前補正値を調整する場合、前記実行ユニットは、
前記１つのＲＲＵの平均アップリンク周波数シフト値が直前の事前補正周期における前記１つのＲＲＵのダウンリンク事前補正値の逆数より大きい場合、現在ダウンリンク事前補正周期における前記１つのＲＲＵのダウンリンク事前補正値は、直前の事前補正周期における前記１つのＲＲＵのダウンリンク事前補正値から１つの予め設定されたステッピング周波数値を引いた値とし、
前記１つのＲＲＵの平均アップリンク周波数シフト値が直前の事前補正周期における前記１つのＲＲＵのダウンリンク事前補正値の逆数を下回る場合、現在ダウンリンク事前補正周期における前記１つのＲＲＵのダウンリンク事前補正値は、直前の事前補正周期における前記１つのＲＲＵのダウンリンク事前補正値に予め設定されたステッピング周波数値を加算した値であり、
前記１つのＲＲＵの平均アップリンク周波数シフト値が直前の事前補正周期における前記１つのＲＲＵのダウンリンク事前補正値の逆数に等しい場合、現在ダウンリンク事前補正周期における前記１つのＲＲＵのダウンリンク事前補正値は、直前の事前補正周期における前記１つのＲＲＵのダウンリンク事前補正値である。
【発明の効果】
【００２０】
本発明の有益な効果は以下とおりである。
【００２１】
要約すると、本発明の実施形態では、ｅＮＢは、ダウンリンク信号の事前補正の間、取得した各クライアントそれぞれに対応する第１のＲＲＵおよび第２のＲＲＵのアップリンク周波数シフト値に基づいて、各ＲＲＵに対応するアップリンク周波数シフトの集合を決定し、かつ、ダウンリンク事前補正周期が到着したと決定すると、各ＲＲＵについてそれぞれ以下の動作を実行し、１つのＲＲＵ的周波数シフトの集合に基づいて、前記ＲＲＵの平均アップリンク周波数シフト値を計算し、直前の事前補正周期における前記ＲＲＵのダウンリンク事前補正値に基づいて、また、前記ＲＲＵの平均アップリンク周波数シフト値および直前の事前補正周期における前記ＲＲＵのダウンリンク事前補正値に基づいて、現在ダウンリンク事前補正周期における前記ＲＲＵのダウンリンク事前補正値を決定する。この方法によれば、ｅＮＢ側とＵＥ側の協力が要らず、ｅＮＢ側のみでダウンリンク信号の事前補正を進むことができ、さらに、各ＲＲＵの間のデーインタラクションに関わらず、ＲＲＵを単位として各ＵＥのアップリンク周波数シフト値を統計し、それによって性能確保の以上技術案の実装上の複雑さを低減し、シグナリングの負担を低減し、それによってユーザエクスペリエンスを改善する。
【図面の簡単な説明】
【００２２】
【図１】本発明に係る実施例によるダウンリンク信号の事前補正方法のフローチャートである。
【図２】本発明に係る実施例によるダウンリンク信号の事前補正装置の構成図である。
【発明を実施するための形態】
【００２３】
本発明の実施例における目的、技術方案と利点を明確にするため、以下に本発明の実施例における図と結合して本発明の実施例における技術方案の詳細を明確に、完全に説はない。本発明における実施例にもとづき、当業者は、創造性作業を行わないこととする。当然、記載の実施例は本発明の実施例の一部に過ぎず、全ての実施例を前提として、取得したその他の実施例は、本発明の保護範囲に属する。
【００２４】
本発明の技術案は多様な通信システムに応用することができる。例えば、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ-Ａ（Ａｄｖａｎｃｅｄ  ｌｏｎｇ  ｔｅｒｍ  ｅｖｏｌｕｔｉｏｎ）システム、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に応用できる。
【００２５】
また、本発明に係る実施例において、ＵＥは、ＭＳ（Ｍｏｂｉｌｅ  Ｓｔａｔｉｏｎ）、移動端末（Ｍｏｂｉｌｅ  Ｔｅｒｍｉｎａｌ）、ＭＴ（Ｍｏｂｉｌｅ  Ｔｅｌｅｐｈｏｎｅ）、携帯（ｈａｎｄｓｅｔ）及び携帯機器（ｐｏｒｔａｂｌｅ  ｅｑｕｉｐｍｅｎｔ）を含むが、それに限られない。当該ユーザー設備は、ＲＡＮ（Ｒａｄｉｏ  Ａｃｃｅｓｓ  Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００２６】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ  Ｔｒａｎｓｃｅｉｖｅｒ  Ｓｔａｔｉｏｎ，ＢＴＳ）であってもよいし、ＷＣＤＭＡの基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ  Ｎｏｄｅ  Ｂ）であってもよいが、本発明をそれに限定しない。
【００２７】
ダウンリンク信号の複雑な事前補正、および追加のシグナリング負担の従来技術における問題に対処するために、本発明の実施形態は、ダウンリンク信号の事前補正方法および装置を提供する。当該方法では、取得した各クライアントそれぞれに対応する第１の無線遠隔ユニット（Ｒａｄｉｏ  Ｒｅｍｏｔｅ  ｕｎｉｔ，ＲＲＵ）および第２のＲＲＵのアップリンク周波数シフト値に基づいて、各ＲＲＵに対応するアップリンク周波数シフトの集合を決定し、ダウンリンク事前補正周期が到着したと決定すると、各ＲＲＵについてそれぞれ以下の動作を実行し、１つのＲＲＵ的周波数シフトの集合に基づいて、前記ＲＲＵの平均アップリンク周波数シフト値を計算し、直前の事前補正周期における前記ＲＲＵのダウンリンク事前補正値に基づいて、また、前記ＲＲＵの平均アップリンク周波数シフト値および直前の事前補正周期における前記ＲＲＵのダウンリンク事前補正値に基づいて、現在ダウンリンク事前補正周期における前記ＲＲＵのダウンリンク事前補正値を決定する。
【００２８】
本発明の実施形態による技術的解決法は、本発明の実施形態における図面を参照して以下に明確かつ十分に説明され、そして以下に説明される実施形態は明らかに一部の実施形態にすぎない。本発明の実施形態に基づいて、いかなる発明的努力もなしに当業者が思い付くことができる他の全ての実施形態は、本発明の範囲に含まれるものとする。本発明の解決策を以下に説明する。
【００２９】
本発明の解決策は、その特定の実施形態に関連して以下に詳細に記載され、そしてもちろん、本発明は以下の実施形態に限定されないであろう。
【００３０】
図１に示すように、本発明の実施形態によるダウンリンク信号の事前補正方法の詳細な流れは以下の通りである。
【００３１】
ステップ１０１：各クライアントそれぞれに対応するＲＲＵおよび第２のＲＲＵのアップリンク周波数シフト値を取得する。ここで、上記第１のＲＲＵは最高電力で動作しているクライアントのＲＲＵであり、上記第２のＲＲＵは２番目に高い電力で動作しているクライアントのＲＲＵである。
【００３２】
実際のアプリケーションでは、ｅＮＢは、ＲＲＵを介してクライアントからのアップリンク信号を受信するとき、当該クライアントに利用されたＲＲＵの電力を取得する。
【００３３】
特に、ステップ１０１において、ｅＮＢが各ＲＲＵにおける受信した任意の１つのクライアントのサウンディング参考信号（Ｓｏｕｎｄｉｎｇ  ｒｅｆｅｒｅｎｃｅ  Ｓｉｇｎａｌ，ＳＲＳ）に基づいて、上記任意の１つのクライアントそれぞれに対応するＳＲＳ信号の最大電力を有する第１のＲＲＵおよびＳＲＳ信号の２番目に高い電力を有する第２のＲＲＵを決定する。
【００３４】
例えば、ｅＮＢは、ＲＲＵ１、ＲＲＵ２、ＲＲＵ３およびＲＲＵ４を介してクライアント１からのＳＲＳ信号を受信する。ｅＮＢが、ＲＲＵ１をクライアント１のためのＳＲＳの最高電力を有する１つのＲＲＵとして判断する場合、ＲＲＵ１をクライアント１に対応する第１のＲＲＵとして決定する。ＲＲＵ４をクライアント１のためのＳＲＳの２番目に高い電力を有するＲＲＵとして判断する場合、ＲＲＵ４をクライアント１に対応する第２のＲＲＵとして決定する。
【００３５】
さらに、ｅＮＢは、上記任意の１つのクライアントそれぞれに対応する第１のＲＲＵのアップリンク周波数シフト値および第２のＲＲＵのアップリンク周波数シフト値を計算する。
【００３６】
例えば、ＲＲＵ１がクライアント１に対応する第１のＲＲＵであり、ＲＲＵ４はクライアント１に対応する第２のＲＲＵであれば、ｅＮＢは、ＲＲＵ１のアップリンク周波数シフト値を３００Ｈｚとして計算し、ＲＲＵ４のアップリンク周波数シフト値を２００Ｈｚとして計算する。
【００３７】
当然ながら、ｅＮＢは、従来技術と同様に、上記任意の１つのクライアントそれぞれに対応する第１のＲＲＵおよび第２のＲＲＵのアップリンク周波数シフト値を計算することができるので、ここではその繰り返しの説明は省略する。ｅＮＢは、クライアントによって送信されたアップリンク信号をそれに限定されないアップリンク補正アルゴリズムで処理して、クライアントそれぞれに対応する第１のＲＲＵおよび第２のＲＲＵのアップリンク周波数シフト値を取得することができる。
【００３８】
ステップ１０２：上記各クライアントそれぞれに対応する第１のＲＲＵおよび第２のＲＲＵのアップリンク周波数シフト値に基づいて、各ＲＲＵに対応するアップリンク周波数シフトの集合を決定し、ここで、１つのＲＲＵに対応するアップリンク周波数シフトの集合には、上記１つのＲＲＵの利用を選択したクライアントそれぞれに対応する全ての第１のＲＲＵまたは第２のＲＲＵのアップリンク周波数シフト値が含まれる。
【００３９】
実際のアプリケーションでは、ｅＮＢは各ＲＲＵに対して対応するＲＲＵ周波数シフトの集合を設定する。ｅＮＢは、各クライアントそれぞれに対応する第１のＲＲＵおよび第２のＲＲＵのアップリンク周波数シフト値、および第１のＲＲＵと第２のＲＲＵ間の電力差の絶対値に基づいて、各ＲＲＵに対応するＲＲＵ周波数シフトの集合を決定する。ｅＮＢが、任意の１つのクライアントそれぞれに対応する第１のＲＲＵと第２のＲＲＵとの間の電力差の絶対値を予め設定された閾値を下回ると判断する場合、当該第１のＲＲＵおよび第２のＲＲＵそれぞれを対応のＲＲＵ周波数シフトの集合に割り当てる。ｅＮＢが、任意の１つのクライアントそれぞれに対応する第１のＲＲＵと第２のＲＲＵとの間の電力差が予め設定された閾値に等しいと判断する場合、当該第１のＲＲＵのみを対応のＲＲＵ周波数シフトの集合に割り当てる。
【００４０】
例えば、クライアント１に対応する第１のＲＲＵ（例えば、ＲＲＵ１）の電力が８０ｄＢ、第２のＲＲＵ（例えば、ＲＲＵ４）の電力が７０ｄＢ、予め設定された閾値が１５ｄＢであれば、ｅＮＢは、ＲＲＵ１とＲＲＵ４との間の電力差が１０ｄＢ（１０ｄＢ＜１５ｄＢ）であると判断すると、ｅＮＢは、クライアント１に対応するＲＲＵ１のアップリンク周波数シフト値をＲＲＵ１周波数シフトの集合に割り当て、クライアント１に対応するＲＲＵ４のアップリンク周波数シフト値をＲＲＵ４周波数シフトの集合に割り当てる。
【００４１】
例えば、クライアント１に対応する第１のＲＲＵ（例えば、ＲＲＵ１）の電力が８０ｄＢ、第２のＲＲＵ（例えば、ＲＲＵ４）の電力が５０ｄＢ、予め設定された閾値が０ｄＢであれば、ｅＮＢは、ＲＲＵ１とＲＲＵ４との間の電力差が３０ｄＢ（即ち３０ｄＢ＜１５ｄＢ）であると判断すると、ｅＮＢは、クライアント１に対応するＲＲＵ１のアップリンク周波数シフト値のみをＲＲＵ１に対応するＲＲＵ周波数シフトの集合に割り当てる。
【００４２】
特に、ステップ１０２において、ｅＮＢは、各クライアントそれぞれに対応する第１のＲＲＵと第２のＲＲＵとの間の電力差の絶対値を計算し、各クライアントについてそれぞれ以下の動作を実行する：
任意のＲＲＵが１つのクライアントそれぞれに対応する第１のＲＲＵであると決定する場合、上記１つのクライアントそれぞれに対応する第１のＲＲＵのアップリンク周波数シフト値を上記任意のＲＲＵに対応するＲＲＵ周波数シフトの集合に割り当てる。
【００４３】
例えば、ＲＲＵ１がクライアント１に対応する第１のＲＲＵであり、ＲＲＵ３がクライアント２に対応する第１のＲＲＵであると、ｅＮＢは、クライアント１に対応するＲＲＵ１のアップリンク周波数シフト値をＲＲＵ１に対応するＲＲＵ周波数シフトの集合に割り当て、クライアント２に対応するＲＲＵ３のアップリンク周波数シフト値をＲＲＵ３に対応するＲＲＵ周波数シフトの集合に割り当てる。
【００４４】
任意のＲＲＵを１つのクライアントそれぞれに対応する第２のＲＲＵとして決定し、かつ、上記１つのクライアントそれぞれに対応する第１のＲＲＵと第２のＲＲＵとの間の電力差の絶対値を予め設定された閾値に下回る場合、上記１つのクライアントそれぞれに対応する第２のＲＲＵのアップリンク周波数シフト値を上記任意のＲＲＵに対応するＲＲＵ周波数シフトの集合に割り当てる。
【００４５】
例えば、ＲＲＵ１がクライアント２に対応する第１のＲＲＵであり、ＲＲＵ２がクライアント１に対応する第２のＲＲＵであり、予め設定された閾値が１５ｄＢである。ＲＲＵ１とＲＲＵ２との間の電力差の絶対値を１５ｄＢに下回る場合、ｅＮＢは、クライアント２に対応するＲＲＵ２のアップリンク周波数シフト値をＲＲＵ２に対応するＲＲＵ周波数シフトの集合に割り当てる。
【００４６】
ステップ１０３：ダウンリンク事前補正周期が到着したかどうかを判断し、到着した場合、ステップ１０４に進むことである。そうでなければステップ１０１へ進む。
【００４７】
特に、当該ダウンリンク事前補正周期のサイズは、異なるアプリケーション環境および／または異なる実際のサービス要求に従って設定することができる。好ましくは、当該ダウンリンク事前補正周期は２０ｍｓに設定され、すなわち、２ｅＮＢは２０ｍｓの間隔で一回ダウンリンク事前補正周期を調整する。
【００４８】
ステップ１０４：１つのＲＲＵの周波数シフトの集合に含まれる上記１つのＲＲＵの利用を選択したクライアントそれぞれに対応するすべての第１のＲＲＵまたは第２のＲＲＵのアップリンク周波数シフト値に基づいて、上記１つのＲＲＵの平均アップリンク周波数シフト値を計算し、直前の事前補正周期における上記１つのＲＲＵのダウンリンク事前補正値を取得する。
【００４９】
実際のアプリケーションでは、ｅＮＢは、ダウンリンク事前補正周期が到達すると判断した場合、各ＲＲＵに対応する周波数シフトの集合に基づいて、各ＲＲＵの平均アップリンク周波数シフト値を計算する。
【００５０】
特に、ステップ１０４において、ｅＮＢは、１つのＲＲＵに対応するＲＲＵ周波数シフトの集合に含まれる各クライアントそれぞれに対応する第１のＲＲＵまたは第２のＲＲＵのアップリンク周波数シフト値に基づいて、上記１つのＲＲＵの平均アップリンク周波数シフト値を計算する。
【００５１】
例えば、ＲＲＵ１の周波数シフトの集合にクライアント１に対応するＲＲＵ１のアップリンク周波数シフト値１、クライアント２に対応するＲＲＵ１のアップリンク周波数シフト値２およびクライアント３に対応するＲＲＵ１のアップリンク周波数シフト値３が含まれると、ｅＮＢは、アップリンク周波数シフト値１、アップリンク周波数シフト値２およびアップリンク周波数シフト値３に基づいて、ＲＲＵ１の平均アップリンク周波数シフト値を計算することができる。例えば、（アップリンク周波数シフト値１+アップリンク周波数シフト値２+アップリンク周波数シフト値３）/３。
【００５２】
さらに、ｅＮＢは、直前の事前補正周期における上記１つのＲＲＵのダウンリンク事前補正値を取得する。ここで、初期ダウンリンク事前補正値を０とする。第１の事前補正周期の場合、直前の事前補正周期がないため、後続の動作は、ＲＲＵの平均アップリンク周波数シフト値および初期ダウンリンク事前補正値に従って実行することができる。
【００５３】
ステップ１０５：上記１つのＲＲＵの平均アップリンク周波数シフト値および直前の事前補正周期におけるダウンリンク事前補正値に基づいて、現在ダウンリンク事前補正周期における上記１つのＲＲＵのダウンリンク事前補正値を決定する。
【００５４】
実際のアプリケーションでは、ｅＮＢは、１つのＲＲＵに対応する周波数シフトの集合に基づいて上記１つのＲＲＵの平均アップリンク周波数シフト値を決定し、直前の事前補正周期における上記１つのＲＲＵのダウンリンク事前補正値を取得した後、上記１つのＲＲＵの平均アップリンク周波数シフト値を、直前の事前補正周期におけるダウンリンク事前補正値の逆数と比較し、比較結果に応じてステッピング方式で、現在ダウンリンク事前補正周期における上記１つのＲＲＵのダウンリンク事前補正値を調整する。
【００５５】
特に、ステップ１０５において、ｅＮＢは異なる比較結果に基づいて、異なるステッピング方式で、現在ダウンリンク事前補正周期における上記１つのＲＲＵのダウンリンク事前補正値を調整する。
【００５６】
上記１つのＲＲＵの平均アップリンク周波数シフト値が直前の事前補正周期における上記１つのＲＲＵのダウンリンク事前補正値の逆数より大きければ、現在ダウンリンク事前補正周期における上記１つのＲＲＵのダウンリンク事前補正値は、直前の事前補正周期における上記１つのＲＲＵのダウンリンク事前補正値から一つの予め設定されたステッピング周波数値を引いた値である。
【００５７】
例えば、ＲＲＵ１の平均アップリンク周波数シフト値が４００Ｈｚ、直前の事前補正周期におけるＲＲＵ１のダウンリンク事前補正値が-３００Ｈｚ、予め設定されたステッピング周波数値が２０Ｈｚであれば、ｅＮＢは、４００Ｈｚと-３００Ｈｚの逆数（３００Ｈｚ）を比較し、４００Ｈｚ＞３００Ｈｚとして決定すると、現在ダウンリンク事前補正周期におけるＲＲＵ１のダウンリンク事前補正値を-３００Ｈｚ-２０Ｈｚ=-３２０Ｈｚとして決定する。
【００５８】
さらに、例えば、ＲＲＵ２の平均アップリンク周波数シフト値が-３００Ｈｚ、直前の事前補正周期におけるＲＲＵ２のダウンリンク事前補正値が４００Ｈｚ、予め設定されたステッピング周波数値が２０Ｈｚであれば、ｅＮＢは、-３００Ｈｚと４００Ｈｚの逆数（-４００Ｈｚ）を比較し、-３００Ｈｚ＞-４００Ｈｚとして決定すると、現在ダウンリンク事前補正周期におけるＲＲＵ２のダウンリンク事前補正値を４００Ｈｚ-２０Ｈｚ=３８０Ｈｚとして決定する。
【００５９】
上記１つのＲＲＵの平均アップリンク周波数シフト値が直前の事前補正周期における上記１つのＲＲＵのダウンリンク事前補正値の逆数より小さければ、現在ダウンリンク事前補正周期における上記１つのＲＲＵのダウンリンク事前補正値は、直前の事前補正周期における上記１つのＲＲＵのダウンリンク事前補正値に１つの予め設定されたステッピング周波数値を加算した後の値である。
【００６０】
例えば、ＲＲＵ１の平均アップリンク周波数シフト値が３００Ｈｚ、直前の事前補正周期におけるＲＲＵ１のダウンリンク事前補正値が-４００Ｈｚ、予め設定されたステッピング周波数値が２０Ｈｚであれば、ｅＮＢは、３００Ｈｚと-４００Ｈｚの逆数（４００Ｈｚ）を比較し、３００Ｈｚ＜４００Ｈｚとして決定し、現在ダウンリンク事前補正周期におけるＲＲＵ１のダウンリンク事前補正値を-４００Ｈｚ+２０Ｈｚ=-３８０Ｈｚとして決定する。
【００６１】
さらに、例えば、ＲＲＵ２の平均アップリンク周波数シフト値が-４００Ｈｚ、直前の事前補正周期におけるＲＲＵ２のダウンリンク事前補正値が３００Ｈｚ、予め設定されたステッピング周波数値が２０Ｈｚであれば、ｅＮＢは、-４００Ｈｚと３００Ｈｚの逆数（-３００Ｈｚ）を比較し、-４００Ｈｚ＜-３００Ｈｚとして決定し、現在ダウンリンク事前補正周期におけるＲＲＵ２のダウンリンク事前補正値を３００Ｈｚ+２０Ｈｚ=３２０Ｈｚとして決定する。
【００６２】
上記１つのＲＲＵの平均アップリンク周波数シフト値が直前の事前補正周期における上記１つのＲＲＵのダウンリンク事前補正値の逆数に等しければ、現在ダウンリンク事前補正周期における上記１つのＲＲＵのダウンリンク事前補正値は、直前の事前補正周期における上記１つのＲＲＵのダウンリンク事前補正値である。
【００６３】
例えば、ＲＲＵ１の平均アップリンク周波数シフト値が３００Ｈｚ、直前の事前補正周期におけるＲＲＵ１のダウンリンク事前補正値が-３００Ｈｚ、予め設定されたステッピング周波数値が２０Ｈｚであれば、ｅＮＢは、３００Ｈｚと-３００Ｈｚの逆数（３００Ｈｚ）を比較し、３００Ｈｚ＝３００Ｈｚとして決定し、現在ダウンリンク事前補正周期におけるＲＲＵ１のダウンリンク事前補正値を-３００Ｈｚとして決定する。
【００６４】
さらに、例えば、ＲＲＵ２の平均アップリンク周波数シフト値が-４００Ｈｚ、直前の事前補正周期におけるＲＲＵ２のダウンリンク補正値が４００Ｈｚ、予め設定されたステッピング周波数値が２０Ｈｚであれば、ｅＮＢは、-４００Ｈｚと４００Ｈｚの逆数（-４００Ｈｚ）を比較し、-４００Ｈｚ＝-４００Ｈｚとして決定し、現在ダウンリンク事前補正周期におけるＲＲＵのダウンリンク事前補正値を４００Ｈｚとして決定する。
【００６５】
上記の実施形態は、特定の適用シナリオにおいて以下でさらに詳細に説明される。
【００６６】
ＬＴＥシステムでは、クライアントが高速で移動しているシナリオでは、例えば、キャリア周波数は２．６ＧＨｚであり、クライアントの移動速度は３６０ｋｍ/ｈであり、ダウンリンク事前補正周期は２０ｍｓである。そして、ダウンリンク周波数シフトは、２０ｍｓ周期で約１６Ｈｚ変動する。すなわち、予め設定されたステッピング周波数値を１６Ｈｚに設定し、最初の２０ｍｓの周期性が到来すると、ｅＮＢは、ＲＲＵ１の平均アップリンク周波数シフト値を２００Ｈｚと計算し、このとき、最初のダウンリンク事前補正周期ではダウンリンク事前補正が行われないので、最初のダウンリンク事前補正周期におけるダウンリンク事前補正値を０Ｈｚとする。このとき、ＲＲＵ１平均アップリンク周波数シフト値（２００Ｈｚ）が最初のダウンリンク事前補正周期におけるダウンリンク事前補正値（０Ｈｚ）より大きければ、第２のダウンリンク事前補正周期におけるダウンリンク事前補正値は０-１６Ｈｚ=-１６Ｈｚである。第２の２０ｍｓが到来すると、ｅＮＢは、ＲＲＵ１の平均アップリンク周波数シフト値を１８０Ｈｚとして算出する。このとき、第２のダウンリンク事前補正周期におけるダウンリンク周波数シフト値は-１６Ｈｚである。明らかに、１８０Ｈｚが-（-１６Ｈｚ）より大きいであり、第３のダウンリンク事前補正周期におけるダウンリンク事前補正値は-１６Ｈｚ-１６Ｈｚ=-３２Ｈｚである。ステッピング方式で現在ダウンリンク事前補正周期における１つのＲＲＵのダウンリンク事前補正値を調整し、n回調整した後、上記１つのＲＲＵの最後のダウンリンク事前補正値は、上記１つのＲＲＵの平均アップリンク周波数シフト値のサイズと実質的に等しい。即ち、ｅＮＢからのダウンリンク信号が最終にクライアントに到着した後、周波数シフト実質的に等しい。ここで、ｎは１以上の正の整数である。
【００６７】
上記実施形態に加えて、図２に示されるように、本発明の実施形態によるダウンリンク信号の事前補正装置（例えば、ｅＮＢ）は、少なくとも取得ユニット２０と、決定ユニット２１と、実行ユニット２２とを備える。
【００６８】
前記取得ユニット２０は、各クライアントそれぞれに対応する第１の無線遠隔ユニットＲＲＵおよび第２のＲＲＵのアップリンク周波数シフトを取得し、ここで、前記第１のＲＲＵは最高電力で動作しているクライアントのＲＲＵであり、前記第２のＲＲＵは２番目に高い電力で動作しているクライアントのＲＲＵである。
【００６９】
前記決定ユニット２１は、前記各クライアントそれぞれに対応する第１のＲＲＵおよび第２のＲＲＵのアップリンク周波数シフトに基づいて、各ＲＲＵに対応するアップリンク周波数シフトの集合をそれぞれ決定する。ここで、１つのＲＲＵに対応する周波数シフトの集合には、前記１つのＲＲＵの利用を選択したクライアントそれぞれに対応する全ての第１のＲＲＵまたは第２のＲＲＵのアップリンク周波数シフトが含まれる。
【００７０】
前記実行ユニット２２は、ダウンリンク事前補正周期が到着したと決定すると、各ＲＲＵについてそれぞれ以下の動作を実行する。
【００７１】
１つのＲＲＵ的周波数シフトの集合に含まれる前記１つのＲＲＵの利用を選択したクライアントそれぞれに対応する全ての第１のＲＲＵまたは第２のＲＲＵのアップリンク周波数シフトに基づいて、前記１つのＲＲＵの平均アップリンク周波数シフトを計算し、直前の事前補正周期における前記１つのＲＲＵのダウンリンク事前補正値を取得する。
【００７２】
前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する。
【００７３】
オプションとして、任意の１つのクライアントそれぞれに対応する第１のＲＲＵおよび第２のＲＲＵのアップリンク周波数シフト値を取得するとき、取得ユニット２０は、
各ＲＲＵにおける受信した前記任意の１つのクライアントのサウンディング参考信号（ＳＲＳ）電力に基づいて、前記任意の１つのクライアントそれぞれに対応するＳＲＳ信号の最大電力を有する第１のＲＲＵおよびＳＲＳ信号の２番目に高い電力を有する第２のＲＲＵそれぞれを決定し、
前記任意の１つのクライアントそれぞれに対応する第１のＲＲＵのアップリンク周波数シフトおよび第２のＲＲＵのアップリンク周波数シフトを計算する。
【００７４】
オプションとして、前記各クライアントそれぞれに対応する第１のＲＲＵおよび第２のＲＲＵのアップリンク周波数シフトに基づいて、任意のＲＲＵに対応する周波数シフトの集合を決定するとき、決定ユニット２１は、
各クライアントそれぞれに対応する第１のＲＲＵと第２のＲＲＵとの間の電力差の絶対値を計算し、
各クライアントについてそれぞれ以下の動作を実行し、
前記任意のＲＲＵが１つのクライアントそれぞれに対応する第１のＲＲＵであると決定するとき、前記１つのクライアントそれぞれに対応する第１のＲＲＵのアップリンク周波数シフトを前記任意のＲＲＵに対応するＲＲＵ周波数シフトの集合に割り当て、
前記任意のＲＲＵをクライアントそれぞれに対応する第２のＲＲＵとして決定し、かつ、前記１つのクライアントそれぞれに対応する第１のＲＲＵと第２のＲＲＵとの間の電力差の絶対値が予め設定された閾値を下回る場合、前記１つのクライアントそれぞれに対応する第２のＲＲＵのアップリンク周波数シフトを前記任意のＲＲＵに対応するＲＲＵ周波数シフトの集合に割り当てる。
【００７５】
オプションとして、前記１つのＲＲＵの平均アップリンク周波数シフトおよび直前の事前補正周期における前記１つのＲＲＵのダウンリンク事前補正に基づいて、現在ダウンリンク事前補正周期における前記１つのＲＲＵのダウンリンク事前補正を決定する場合、実行ユニット２２は、前記１つのＲＲＵの平均アップリンク周波数シフトを、直前の事前補正周期における前記１つのＲＲＵのダウンリンク事前補正値の逆数と比較し、比較結果に応じてステッピング方式で、現在ダウンリンク事前補正周期における前記１つのＲＲＵのダウンリンク事前補正値を調整する。
【００７６】
オプションとして、比較結果に応じてステッピング方式で、現在ダウンリンク事前補正周期における前記１つのＲＲＵのダウンリンク事前補正値を調整する場合、実行ユニット２２は、
前記１つのＲＲＵの平均アップリンク周波数シフト値が直前の事前補正周期における前記１つのＲＲＵのダウンリンク事前補正値の逆数より大きい場合、現在ダウンリンク事前補正周期における前記１つのＲＲＵのダウンリンク事前補正値は、直前の事前補正周期における前記１つのＲＲＵのダウンリンク事前補正値から１つの予め設定されたステッピング周波数値を引いた値とし、
前記１つのＲＲＵの平均アップリンク周波数シフト値が直前の事前補正周期における前記１つのＲＲＵのダウンリンク事前補正値の逆数を下回る場合、現在ダウンリンク事前補正周期における前記１つのＲＲＵのダウンリンク事前補正値は、直前の事前補正周期における前記１つのＲＲＵのダウンリンク事前補正値に予め設定されたステッピング周波数値を加算した値であり、
前記１つのＲＲＵの平均アップリンク周波数シフト値が直前の事前補正周期における前記１つのＲＲＵのダウンリンク事前補正値の逆数に等しい場合、現在ダウンリンク事前補正周期における前記１つのＲＲＵのダウンリンク事前補正値は、直前の事前補正周期における前記１つのＲＲＵのダウンリンク事前補正値である。
【００７７】
要約すると、本発明の実施形態では、ｅＮＢは、ダウンリンク信号の事前補正の間、取得した各クライアントそれぞれに対応する第１のＲＲＵおよび第２のＲＲＵのアップリンク周波数シフト値に基づいて、各ＲＲＵに対応するアップリンク周波数シフトの集合を決定し、かつ、ダウンリンク事前補正周期が到着したと決定すると、各ＲＲＵについてそれぞれ以下の動作を実行し、１つのＲＲＵ的周波数シフトの集合に基づいて、前記ＲＲＵの平均アップリンク周波数シフト値を計算し、直前の事前補正周期における前記ＲＲＵのダウンリンク事前補正値に基づいて、また、前記ＲＲＵの平均アップリンク周波数シフト値および直前の事前補正周期における前記ＲＲＵのダウンリンク事前補正値に基づいて、現在ダウンリンク事前補正周期における前記ＲＲＵのダウンリンク事前補正値を決定する。この方法によれば、ｅＮＢ側とＵＥ側の協力が要らず、ｅＮＢ側のみでダウンリンク信号の事前補正を進むことができ、さらに、各ＲＲＵの間のデーインタラクションに関わらず、ＲＲＵを単位として各ＵＥのアップリンク周波数シフト値を統計し、技術案の実装の複雑さを低減し、シグナリングの負担を低減し、それによってユーザエクスペリエンスを改善する。
【００７８】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００７９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００８０】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
上記した実施形態に記述された技術的な解決手段を改造し、或いはその中の一部の技術要素を置換することもできる。そのような、改造と置換は本発明の各実施形態の技術の範囲から逸脱するとは見なされない。
【００８１】
無論、当業者によって、上記した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８２】
２０  取得ユニット
２１  決定ユニット
２２  実行ユニット
【図１】
0006765544.tif 000003
【図２】
0006765544.tif 000004